(57)【要約】  【課題】中継サーバにかかる負荷を軽減した会議システムを提供すること。  【解決手段】複数のクライアント端末１５０から送信される映像データ及び音声データを、会議管理サーバ１１０からのルーティング指示に応じて、ビデオルータ１３０から他のクライアント端末１５０に転送し、転送されたクライアント端末１５０で、複数の映像データ及び音声データの合成を行う。【選択図】図１
2010118715.tif 000002
【特許請求の範囲】
【請求項１】
複数のクライアント端末と、中継装置と、を有する会議システムであって、
前記クライアント端末の制御部は、撮像部で撮像した映像データ及び音声収集部で収集した音声データを前記中継装置のアドレスを宛先として送信する処理を行い、
前記中継装置の制御部は、会議に参加している一のクライアント端末に対して、当該会議に参加している他のクライアント端末から送信されてきた映像データ及び音声データを各々送信する処理を行い、
前記一のクライアント端末の制御部は、複数の前記他のクライアント端末より映像データ及び音声データを受信すると、受信した複数の映像データを一つの映像データに合成して映像出力部に出力し、受信した複数の音声データを一つの音声データに合成して音声出力部に出力する処理を行うこと、
を特徴とする会議システム。
【請求項２】
請求項１に記載の会議システムであって、
会議管理サーバをさらに備え、
前記会議管理サーバの記憶部には、クライアント端末を特定する情報と、当該クライアント端末のアドレスを特定する情報と、を有するクライアント情報が記憶され、
前記会議管理サーバの制御部は、
前記クライアント端末より、会議に参加するクライアント端末を特定する情報を有する発呼メッセージを受信すると、前記クライアント情報より、当該会議に参加するクライアント端末のアドレスを抽出する処理と、
抽出したアドレスと、発呼メッセージを送信してきたクライアント端末のアドレスと、を含むルーティング指示を前記中継装置に送信する処理と、を行い、
前記中継装置の制御部は、前記ルーティング指示に含まれている一のアドレスで特定されるクライアント端末から受信した映像データ及び音声データを、前記ルーティング指示に含まれている他のアドレスで特定されるクライアント端末に送信する処理を行うこと、
を特徴とする会議システム。
【請求項３】
請求項２に記載の会議システムであって、
電話端末をさらに備え、
前記会議管理サーバの記憶部には、電話端末の電話番号を特定する情報と、当該電話端末に割り振られているアドレスを特定する情報と、を有する電話番号情報が記憶され、
前記会議管理サーバの制御部は、
前記クライアント端末より、会議に参加する電話番号を特定する情報を有する発呼メッセージを受信すると、前記電話番号情報より、当該会議に参加する電話端末のアドレスを抽出する処理と、
抽出したアドレスと、発呼メッセージを送信してきたクライアント端末のアドレスと、を含むルーティング指示を前記中継装置に送信する処理と、を行い、
前記中継装置の制御部は、
前記ルーティング指示に含まれている一のアドレスで特定されるクライアント端末から受信した映像データ及び音声データを、前記ルーティング指示に含まれている他のアドレスで特定されるクライアント端末に送信する処理、
前記ルーティング指示に含まれる一のアドレスで特定されるクライアント端末から受信した音声データを、前記ルーティング指示に含まれている他のアドレスで特定される電話端末に送信する処理、
前記ルーティング指示に含まれる一のアドレスで特定される電話端末から受信した音声データを、前記ルーティング指示に含まれている他のアドレスで特定されるクライアント端末に送信する処理、
の少なくとも一つ以上の処理を行うこと、
を特徴とする会議システム。
【請求項４】
請求項２に記載の会議システムであって、
電話端末をさらに備え、
前記会議管理サーバの記憶部には、会議に参加する少なくとも一つ以上のクライアント端末を特定する情報と、当該クライアント端末との間で会議を設定するための設定用電話番号を特定する情報と、を有する会議設定情報が記憶され、
前記会議管理サーバの制御部は、
前記電話端末より、前記設定用電話番号を選択した発呼メッセージを受信すると、前記会議設定情報より、前記設定用電話番号で会議に参加するクライアント端末を特定し、特定したクライアント端末のアドレスを前記クライアント情報より抽出する処理と、
抽出したアドレスと、発呼メッセージを送信してきた電話端末に割り振られているアドレスと、を含むルーティング指示を前記中継装置に送信する処理と、を行い、
前記中継装置の制御部は、
前記ルーティング指示に含まれている一のアドレスで特定されるクライアント端末から受信した映像データ及び音声データを、前記ルーティング指示に含まれている他のアドレスで特定されるクライアント端末に送信する処理、
前記ルーティング指示に含まれる一のアドレスで特定されるクライアント端末から受信した音声データを、前記ルーティング指示に含まれている他のアドレスで特定される電話端末に送信する処理、
前記ルーティング指示に含まれる一のアドレスで特定される電話端末から受信した音声データを、前記ルーティング指示に含まれている他のアドレスで特定されるクライアント端末に送信する処理、
の少なくとも一つ以上の処理を行うこと、
を特徴とする会議システム。
【請求項５】
請求項１に記載の会議システムであって、
会議管理サーバと、電話端末と、をさらに備え、
前記会議管理サーバの記憶部には、
クライアント端末を特定する情報、および、当該クライアント端末のアドレスを特定する情報、を有するクライアント情報と、
電話端末の電話番号を特定する情報、および、当該電話端末に割り振られているアドレスを特定する情報、を有する電話番号情報と、
が記憶され、
前記会議管理サーバの制御部は、
前記クライアント端末又は前記電話端末より、会議に参加するクライアント端末を特定する情報及び会議に参加する電話端末を特定する情報の少なくとも何れか一方を有する発呼メッセージを受信すると、前記クライアント情報又は前記電話番号情報より、当該会議に参加するクライアント端末又は電話番号のアドレスを抽出する処理と、
予め定められた電話番号の中から、当該会議に参加するために使用する会議用電話番号を割り振る処理と、
当該会議に割り振られた会議用電話番号を特定する情報、当該会議に参加するクライアント端末及び電話端末の少なくとも何れか一つを特定する情報、および、当該クライアント端末又は当該電話端末のアドレスを特定する情報、を有する会議開催情報を前記会議管理サーバの記憶部に記憶する処理と、
当該会議に参加するクライアント端末又は電話端末のアドレスを特定する情報と、当該会議に割り振られた会議用電話番号を特定する情報と、を含むルーティング指示を前記中継装置に送信する処理と、を行い、
前記中継装置の制御部は、
前記ルーティング指示に含まれている当該会議に参加するクライアント端末又は電話端末のアドレスを特定する情報と、当該会議に割り振られた会議用電話番号を特定する情報と、を対応付けてルーティング情報として前記中継装置の記憶部に記憶する処理と、
前記ルーティング情報において、一の会議用電話番号に対応付けられている一のアドレスで特定されるクライアント端末から受信した映像データ及び音声データを、当該一の会議用電話番号に対応付けられている他のアドレスで特定されるクライアント端末に送信する処理、
前記ルーティング情報において、一の会議用電話番号に対応付けられている一のアドレスで特定されるクライアント端末から受信した音声データを、当該一の会議用電話番号に対応付けられている他のアドレスで特定される電話端末に送信する処理、
前記ルーティング情報において、一の会議用電話番号に対応付けられている一のアドレスで特定される電話端末から受信した音声データを、当該一の会議用電話番号に対応付けられている他のアドレスで特定されるクライアント端末に送信する処理、
前記ルーティング情報において、一の会議用電話番号に対応付けられている一のアドレスで特定される電話端末から受信した音声データを、当該一の会議用電話番号に対応付けられている他のアドレスで特定される電話端末に送信する処理、の少なくとの何れか一つ以上の処理と、
を行うこと、
を特徴とする会議システム。
【請求項６】
請求項５に記載の会議システムであって、
前記会議管理サーバの制御部は、
前記電話端末より、前記会議用電話番号を選択した発呼メッセージを受信すると、当該発呼メッセージに含まれている前記会議用電話番号を特定する情報と、発呼メッセージを送信してきた電話端末に割り振られているアドレスを特定する情報と、を含むルーティング指示を前記中継装置に送信する処理を行い、
前記中継装置の制御部は、受信したルーティング指示に含まれているアドレスを特定する情報を、受信したルーティング指示に含まれている会議用電話番号に対応するルーティング情報に含めて、前記中継装置の記憶部に記憶する処理を行うこと、
を特徴とする会議システム。
【請求項７】
請求項３〜６の何れか一項に記載の会議システムであって、
前記中継装置と、前記電話端末と、の間にゲートウェイをさらに備え、
前記ゲートウェイの制御部は、一の電話端末に送信する音声データが複数ある場合には、複数の音声データを一つの音声データに合成して前記交換機に送信する処理を行うこと、
を特徴とする会議システム。
【請求項８】
請求項１〜７の何れか一項に記載の会議システムであって、
前記クライアント端末の制御部は、入力部及び映像出力部を介して、各々の宛先から送られてくる映像データを映像出力部に表示する位置の選択を受け付け、選択された位置に選択された映像データが表示されるように、複数の映像データを一つの映像データに合成する処理を行うこと、
を特徴とする会議システム。
【請求項９】
複数のクライアント端末と、中継装置と、を有する会議システムで行うデータ処理方法であって、
前記クライアント端末の制御部が、撮像部で撮像した映像データ及び音声収集部で収集した音声データを前記中継装置のアドレスを宛先として送信する処理を行う過程と、
前記中継装置の制御部が、会議に参加している一のクライアント端末に対して、当該会議に参加している他のクライアント端末から送信されてきた映像データ及び音声データを各々送信する処理を行う過程と、
前記一のクライアント端末の制御部が、複数の他のクライアント端末より映像データ及び音声データを受信すると、受信した複数の映像データを一つの映像データに合成して映像出力部に出力し、受信した複数の音声データを一つの音声データに合成して音声出力部に出力する処理を行う過程と、を有すること、
を特徴とするデータ処理方法。
【発明の詳細な説明】
【技術分野】
【０００１】
本発明は、複数のクライアント端末が、中継装置を介して会議を行う技術に関する。
【背景技術】
【０００２】
従来のテレビ会議システムでは、例えば、特許文献１に記載の技術のように、テレビ会議を行う部屋等に端末を設置し、複数の端末から得られる映像及び音声を中継サーバで合成して、中継サーバから各々の端末に配信し、配信を受けた端末で合成された映像及び音声を出力するようにしている。
【０００３】
【特許文献１】特開2001-313915号公報
【発明の開示】
【発明が解決しようとする課題】
【０００４】
特許文献１に記載の技術のように、従来のテレビ会議システムでは、複数の端末から得られる映像及び音声を中継サーバで合成して各々の端末に配信するようにしているため、会議に参加する端末の数が増えたり、開催する会議の数が増えたりすると、中継サーバの負担が大きくなり、配信する映像及び音声が遅延する場合もあった。
【０００５】
そこで、本発明は、中継サーバにかかる負荷を軽減した会議システムを提供することを目的とする。
【課題を解決するための手段】
【０００６】
以上の課題を解決するため、本発明は、複数のクライアント端末から送信される映像データ及び音声データを、中継装置から他のクライアント端末に転送し、転送されたクライアント端末で、複数の映像データ及び音声データの合成を行う。
【０００７】
例えば、本発明は、複数のクライアント端末と、中継装置と、を有する会議システムであって、前記クライアント端末の制御部は、撮像部で撮像した映像データ及び音声収集部で収集した音声データを前記中継装置のアドレスを宛先として送信する処理を行い、前記中継装置の制御部は、会議に参加している一のクライアント端末に対して、当該会議に参加している他のクライアント端末から送信されてきた映像データ及び音声データを各々送信する処理を行い、前記一のクライアント端末の制御部は、複数の前記他のクライアント端末より映像データ及び音声データを受信すると、受信した複数の映像データを一つの映像データに合成して映像出力部に出力し、受信した複数の音声データを一つの音声データに合成して音声出力部に出力する処理を行うこと、を特徴とする。
【発明の効果】
【０００８】
以上のように、本発明によれば、中継サーバにかかる負荷を軽減した会議システムを提供することができる。
【発明を実施するための最良の形態】
【０００９】
図１は、本発明の一実施形態である会議システム１００の概略図である。
【００１０】
図示するように、会議システム１００は、会議管理サーバ１１０と、中継装置としてのビデオルータ１３０と、ゲートウェイ（以下、ＧＷという）１４０と、クライアント端末１５０Ａ〜１５０Ｃ（以下、各々を区別しない場合にはクライアント端末１５０という）と、交換機としてのＰＢＸ（Private Branch eXchange）１７０と、ＩＰ電話端末１８０Ａ〜１８０Ｂ（以下、各々を区別しない場合にはＩＰ電話端末１８０という）と、アナログ電話端末１９０Ａ〜１９０Ｂ（以下、各々を区別しない場合にはアナログ電話端末１９０という）と、を有する。
【００１１】
そして、会議管理サーバ１１０、ビデオルータ１３０、ＧＷ１４０及びクライアント端末１５０は、ＬＡＮ（Local Area Network）２００を介して相互に情報を送受信することができるようにされており、ＧＷ１４０及びＰＢＸ１７０は、ＷＡＮ（Wide Area Network）２０１（例えば、ＩＰ−ＶＰＮ、広域イーサネット、インターネットＶＰＮ及びこれらの複合ネットワーク）を介して相互に情報を送受信することができるようにされており、ＰＢＸ１７０及びＩＰ電話端末１８０は、ＬＡＮ２０２を介して相互に情報を送受信することができるようにされている。
【００１２】
図２は、会議管理サーバ１１０の概略図である。図示するように、会議管理サーバ１１０は、記憶部１１１と、制御部１１７と、入力部１２２と、出力部１２３と、通信部１２４と、を備える。
【００１３】
記憶部１１１は、クライアント情報記憶領域１１２と、電話番号情報記憶領域１１３と、会議開催情報記憶領域１１４と、会議設定情報記憶領域１１５と、を備える。
【００１４】
クライアント情報記憶領域１１２には、会議を行うために使用されるクライアント端末１５０の通信アドレスを特定する情報が記憶される。例えば、本実施形態においては、図３（クライアント情報テーブル１１２ａの概略図）に示すようなクライアント情報テーブル１１２ａが記憶される。
【００１５】
クライアント情報テーブル１１２ａは、クライアントＩＤ欄１１２ｂと、アドレス欄１１２ｃと、を有する。
【００１６】
クライアントＩＤ欄１１２ｂには、各々のクライアント端末１５０を特定する情報が格納される。ここでは、クライアント端末１５０を特定する情報として、クライアント端末１５０を識別するために各々のクライアント端末１５０に割り振られたクライアントＩＤが格納される。
【００１７】
アドレス欄１１２ｃには、クライアントＩＤ欄１１２ｂで特定されるクライアント端末１５０の通信アドレス（ＩＰアドレス等）を特定する情報が格納される。
【００１８】
図２に戻り、電話番号情報記憶領域１１３には、ＷＡＮ２０１を介して接続されている端末（ＩＰ電話端末１８０、アナログ電話端末１９０）に割り振られた電話番号及び通信アドレスを特定する情報が格納される。例えば、本実施形態においては、図４（電話番号情報テーブル１１３ａの概略図）に示すような電話番号情報テーブル１１３ａが記憶される。
【００１９】
電話番号情報テーブル１１３ａは、電話番号欄１１３ｂと、アドレス欄１１３ｃと、を有する。
【００２０】
電話番号欄１１３ｂは、ＷＡＮ２０１を介して接続されているＩＰ電話端末１８０又はアナログ電話端末１９０に割り振られている電話番号を特定する情報が格納される。
【００２１】
アドレス欄１１３ｃには、電話番号欄１１３ｂで特定されるＩＰ電話端末１８０又はアナログ電話端末１９０に割り振られている通信アドレスを特定する情報が格納される。本実施形態においては、ＩＰ電話端末１８０については、当該ＩＰ電話端末１８０に割り振られている通信アドレス、アナログ電話端末１９０については、当該アナログ電話端末１９０が収容されているＰＢＸ１７０に割り振られている通信アドレス、が格納される。
【００２２】
図２に戻り、会議開催情報記憶領域１１４には、会議管理サーバ１１０を介して設定された会議に参加している端末と、当該端末が送受信するデータのデータ種別と、を特定する情報が格納される。例えば、本実施形態においては、図５（会議開催情報テーブル１１４ａの概略図）に示すような会議開催情報テーブル１１４ａが記憶される。
【００２３】
会議開催情報テーブル１１４ａは、会議用番号欄１１４ｂと、端末ＩＤ欄１１４ｃと、アドレス欄１１４ｄと、データ種別欄１１４ｅと、を有する。
【００２４】
会議用番号欄１１４ｂには、会議管理サーバ１１０を介して設定された各々の会議に割り振られる会議用電話番号を特定する情報が格納される。なお、各々の会議に割り振る電話番号については、予め取得されている複数の電話番号（記憶部１１１に予め記憶）から、既に設定されている会議に割り振られた番号と同じ番号にならないように割り振ればよい。
【００２５】
端末ＩＤ欄１１４ｃには、会議用番号欄１１４ｂで特定される会議に参加している端末（クライアント端末１５０、ＩＰ電話端末１８０及びアナログ電話端末１９０）を特定する情報が格納される。
【００２６】
ここでは、端末を特定する情報として、クライアント端末１５０については、各々のクライアント端末１５０に割り振られているクライアントＩＤ、ＩＰ電話端末１８０及びアナログ電話端末１９０については、各々のＩＰ電話端末１８０及びアナログ電話端末１９０に割り振られている電話番号が格納される。
【００２７】
アドレス欄１１４ｄには、端末ＩＤ欄１１４ｃで特定される端末に割り振られている通信アドレスを特定する情報が格納される。
【００２８】
データ種別欄１１４ｅには、端末ＩＤ欄１１４ｃで特定される端末が送受信するデータのデータ種別を特定する情報が格納される。ここでは、データ種別を特定する情報として、「映像及び音声」又は「音声」の何れかを特定する情報が格納される。
【００２９】
図２に戻り、会議設定情報記憶領域１１５には、会議管理サーバ１１０のＷＡＮ２０１側に接続されている端末から、ＬＡＮ２００側に接続されているクライアント端末１５０を選択して会議を設定するための識別情報が格納される。例えば、本実施形態においては、図６（会議設定情報テーブル１１５ａの概略図）に示すような会議設定情報テーブル１１５ａが記憶される。
【００３０】
会議設定情報テーブル１１５ａは、電話番号欄１１５ｂと、会議相手欄１１５ｃと、を有する。
【００３１】
電話番号欄１１５ｂには、後述する会議相手欄１１５ｃで特定されるクライアント端末１５０との会議を設定するために使用する設定用電話番号を特定する情報が格納される。
【００３２】
会議相手欄１１５ｃには、電話番号欄１１５ｂで特定される設定用電話番号において、会議をする相手として呼び出されるクライアント端末１５０を特定する情報が格納される。ここでは、クライアント端末１５０を特定する情報として、クライアント端末１５０毎に割り振られているクライアントＩＤが格納される。
【００３３】
なお、本実施形態においては、ＬＡＮ２００に接続される全てのクライアント端末１５０、および、ＬＡＮ２００に接続されているクライアント端末１５０の全ての組合せ、に設定用電話番号が割り振られているものとする。
【００３４】
図２に戻り、制御部１１７は、全体制御部１１８と、呼制御部１１９と、会議管理部１２０と、を備える。
【００３５】
全体制御部１１８は、会議管理サーバ１１０での処理の全体を制御する。
【００３６】
例えば、本実施形態においては、クライアント情報記憶領域１１２および電話番号情報記憶領域１１３に情報を記憶し、更新する処理を行う。
【００３７】
具体的には、全体制御部１１８は、入力部１２２を介してクライアント端末１５０のクライアントＩＤ及び通信アドレスの入力を受け付け、入力を受け付けた情報をクライアント情報テーブル１１２ａの対応する欄に格納する処理を行う。
【００３８】
また、全体制御部１１８は、通信部１２４を介して、ＷＡＮ２０１側より、ＩＰ電話端末１８０又はアナログ電話端末１９０に割り振られた電話番号及び通信アドレスを特定する情報を有する登録要求を受け付けることにより、当該電話番号及び通信アドレスを特定する情報を電話番号情報テーブル１１３ａの対応する欄に格納する処理を行う。
【００３９】
呼制御部１１９は、会議を設定するための呼制御を行う。
【００４０】
例えば、呼制御部１１９は、クライアント端末１５０より、他のクライアント端末１５０のクライアントＩＤ又は通信アドレスを指定した発呼（会議の設定依頼）メッセージを、通信部１２４を介して受信すると、指定されたクライアントＩＤで特定される通信アドレス又は指定された通信アドレスに予め定めら得たプロトコルに応じた発呼メッセージを送信する処理を行う。
【００４１】
そして、呼制御部１１９は、このような発呼メッセージに対して、会議に応答する応答メッセージを受信すると、会議用電話番号と、当該会議用電話番号で特定される会議に参加する端末に割り振られているクライアントＩＤと、当該会議用電話番号で特定される会議に参加する端末に割り振られている通信アドレスと、当該会議用電話番号で特定される会議に参加する端末が送受信するデータ種別と、を特定して、後述する会議管理部１２０にルーティング処理指令を行うことにより、会議を設定する。
【００４２】
また、呼制御部１１９は、ＷＡＮ２０１側に接続されているＩＰ電話端末１８０又はアナログ電話端末１９０より、会議を設定するための設定用電話番号による発呼がおこなわれると、当該設定用電話番号で特定される会議相手のクライアント端末１５０を会議設定情報テーブル１１５ａから特定して、特定したクライアント端末１５０に発呼メッセージを送信する処理を行う。
【００４３】
そして、このような発呼メッセージに対して、会議に応答する応答メッセージを受信すると、呼制御部１１９は、会議用電話番号と、当該会議用電話番号で特定される会議に参加する端末に割り振られているクライアントＩＤ又は電話番号と、当該会議用電話番号で特定される会議に参加する端末に割り振られている通信アドレスと、当該会議用電話番号に参加する端末が送受信するデータ種別と、を特定して、後述する会議管理部１２０にルーティング処理指令を行うことにより、会議を設定する。
【００４４】
さらに、呼制御部１１９は、クライアント端末１５０、ＩＰ電話端末１８０又はアナログ電話端末１９０より、既に開催されている会議に割り振られている会議用電話番号による発呼が行われると、当該会議用電話番号で発呼を行った端末との間の接続処理を行うともに、当該会議用電話番号と、当該会議用電話番号で発呼を行った端末に割り振られているクライアントＩＤ又は電話番号と、当該会議用電話番号で発呼を行った端末に割り振られている通信アドレスと、当該会議用電話番号で発呼を行った端末が送受信するデータ種別と、を特定して、後述する会議管理部１２０にルーティング処理指令を行うことにより、当該会議用電話番号で発呼を行った端末が既に開催されている会議に参加することができるようにする処理を行う。
【００４５】
なお、呼制御部１１９は、クライアント端末１５０、ＩＰ電話端末１８０又はアナログ電話端末１９０より、これらの端末に割り振られている通信アドレスを特定した取消通知を受けると、当該通信アドレスを特定して、会議管理部１２０にルーティング取消処理指令を行うことにより、既に開催されている会議から、取消通知を行った端末の参加を取り消す処理を行う。
【００４６】
会議管理部１２０は、会議管理サーバ１１０を介して設定された会議を管理する処理を行う。
【００４７】
例えば、会議管理部１２０は、呼制御部１１９よりルーティング処理指令を受けると、当該ルーティング処理指令で特定されている会議用電話番号が、会議開催情報テーブル１１４ａの会議用番号欄１１４ｂに既に格納されていない場合には、会議開催情報テーブル１１４ａに新たなレコードを追加して、追加したレコードに、ルーティング処理指令で特定されている会議用電話番号、端末に割り振られているクライアントＩＤ又は電話番号、通信アドレス、および、データ種別、を格納するとともに、通信部１２４を介して、ルーティング処理指令で特定されている会議用電話番号、端末の通信アドレス及びデータ種別、を特定したルーティング指示をビデオルータ１３０に送信する処理を行う。
【００４８】
また、会議管理部１２０は、呼制御部１１９よりルーティング処理指令を受けると、当該ルーティング処理指令で特定されている会議用電話番号が、会議開催情報テーブル１１４ａの会議用番号欄１１４ｂに既に格納されている場合には、当該会議用電話番号が会議用番号欄１１４ｂに格納されているレコードに新たな行を追加して、ルーティング処理指令で特定されている端末に割り振られているクライアントＩＤ又は電話番号、通信アドレス、および、データ種別、を格納するとともに、通信部１２４を介して、ルーティング処理指令で特定されている会議用電話番号、端末の通信アドレス及びデータ種別、を特定したルーティング指示をビデオルータ１３０に送信する処理を行う。
【００４９】
なお、会議管理部１２０は、呼制御部１１９より、ルーティング取消処理指令を受けると、当該ルーティング取消処理指令で特定されている通信アドレスが、会議開催情報テーブル１１４ａのアドレス欄１１４ｄに格納されている行の情報を削除する。なお、会議用電話番号に対応付けられている全ての行の情報が削除された場合には、当該会議用電話番号のレコードを削除する。
【００５０】
そして、会議管理部１２０は、当該ルーティング取消処理指令に含まれている通信アドレスを特定する情報を含むルーティング取消指示を、通信部１２４を介してビデオルータ１３０に送信する。
【００５１】
入力部１２２は、情報の入力を受け付ける。
【００５２】
出力部１２３は、情報を出力する。
【００５３】
通信部１２４は、ＬＡＮ２００を介した情報の送受信を行う。
【００５４】
以上に記載した会議管理サーバ１１０は、例えば、図７（コンピュータ９００の概略図）に示すような、ＣＰＵ（Central Processing Unit）９０１と、メモリ９０２と、ＨＤＤ（Hard Disk Drive）等の外部記憶装置９０３と、ＣＤ−ＲＯＭ（Compact Disk Read Only Memory）やＤＶＤ−ＲＯＭ（Digital Versatile Disk Read Only Memory）等の可搬性を有する記憶媒体９０４に対し情報の読み出し及び書き込みを行う読書装置９０５と、キーボードやマウスなどの入力装置９０６と、ディスプレイなどの出力装置９０７と、通信ネットワークに接続するためのＮＩＣ（Network Interface Card）等の通信装置９０８と、を備えた一般的なコンピュータ９００で実現できる。
【００５５】
例えば、記憶部１１１は、ＣＰＵ９０１がメモリ９０２又は外部記憶装置９０３を利用することにより実現可能であり、制御部１１７は、外部記憶装置９０３に記憶されている所定のプログラムをメモリ９０２にロードしてＣＰＵ９０１で実行することで実現可能であり、入力部１２２は、ＣＰＵ９０１が入力装置９０６を利用することで実現可能であり、出力部１２３は、ＣＰＵ９０１が出力装置９０７を利用することで実現可能であり、通信部１２４は、ＣＰＵ９０１が通信装置９０８を利用することで実現可能である。
【００５６】
この所定のプログラムは、読書装置９０５を介して記憶媒体９０４から、あるいは、通信装置９０８を介してネットワークから、外部記憶装置９０３にダウンロードされ、それから、メモリ９０２上にロードされてＣＰＵ９０１により実行されるようにしてもよい。また、読書装置９０５を介して記憶媒体９０４から、あるいは、通信装置９０８を介してネットワークから、メモリ９０２上に直接ロードされ、ＣＰＵ９０１により実行されるようにしてもよい。
【００５７】
図８は、ビデオルータ１３０の概略図である。図示するように、ビデオルータ１３０は、記憶部１３１と、制御部１３４と、通信部１３８と、を備える。
【００５８】
記憶部１３１は、ルーティング情報記憶領域１３２を備える。
【００５９】
ルーティング情報記憶領域１３２には、端末から受信した情報を転送する通信アドレスを特定する情報が記憶される。例えば、本実施形態においては、図９（ルーティング情報テーブル１３２ａの概略図）に示すような、ルーティング情報テーブル１３２ａが記憶される。
【００６０】
ルーティング情報テーブル１３２ａは、会議用番号欄１３２ｂと、アドレス欄１３２ｃと、データ種別欄１３２ｄと、を有する。
【００６１】
会議用番号欄１３２ｂには、各々の会議毎に割り振られた会議用電話番号を特定する情報が格納される。
【００６２】
アドレス欄１３２ｃには、会議用番号欄１３２ｂで特定される会議に参加している端末（クライアント端末１５０、ＩＰ電話端末１８０又はアナログ電話端末１９０）に割り振られる通信アドレスを特定する情報が格納される。
【００６３】
データ種別欄１３２ｄには、アドレス欄１３２ｃで特定される通信アドレスが割り振られている端末が送受信するデータの種別であるデータ種別を特定する情報が格納される。
【００６４】
図８に戻り、制御部１３４は、全体制御部１３５と、会議情報管理部１３６と、を備える。
【００６５】
全体制御部１３５は、ビデオルータ１３０での処理の全体を制御する。例えば、本実施形態においては、ルーティング情報テーブル１３２ａに従ったルーティング処理を行う。
【００６６】
具体的には、全体制御部１３５は、通信部１３８から受信した映像データ又は音声データの送信元のアドレスを特定し、特定したアドレスがルーティング情報テーブル１３２ａのアドレス欄１３２ｃに含まれている行が関連付けられている会議用番号欄１３２ｂのレコード（情報）を特定する。そして、全体制御部１３５は、特定したレコードに含まれているアドレス欄１３２ｃに格納されている通信アドレスの内、送信元の通信アドレス以外の通信アドレスに、データ種別欄１３２ｄで特定される種別のデータを転送する。
【００６７】
会議情報管理部１３６は、ルーティング情報テーブル１３２の管理を行う。
【００６８】
例えば、会議情報管理部１３６は、会議管理サーバ１１０よりルーティング指示を受けると、当該ルーティング指示で特定されている会議用電話番号が、ルーティング情報テーブル１３２ａの会議用番号欄１３２ｂに格納されていない場合には、ルーティング情報テーブル１３２ａに新たなレコードを追加して、追加したレコードに、ルーティング指示で特定されている会議用電話番号、通信アドレス及びデータ種別を格納する。
【００６９】
また、会議情報管理部１３６は、会議管理サーバ１１０よりルーティング指示を受けると、当該ルーティング指示で特定されている会議用電話番号が、ルーティング情報テーブル１３２ａの会議用番号１３２ｂに既に格納されている場合には、当該会議用電話番号が会議用番号欄１３２ｂに格納されているレコードに新たな行を追加して、ルーティング指示で特定されている通信アドレス及びデータ種別を格納する。
【００７０】
なお、会議情報管理部１３６は、会議管理サーバ１１０よりルーティング取消指示を受けると、当該ルーティング取消指示で特定されている通信アドレスが、ルーティング情報テーブル１３２ａのアドレス欄１３２ｃに格納されている行の情報を削除する。なお、会議用電話番号に対応付けられている全ての行の情報が削除された場合には、当該会議用電話番号のレコードを削除する。
【００７１】
以上に記載したビデオルータ１３０は、例えば、図７に示すような一般的なコンピュータ９００で実現できる。
【００７２】
例えば、記憶部１３１は、ＣＰＵ９０１がメモリ９０２又は外部記憶装置９０３を利用することにより実現可能であり、制御部１３４は、外部記憶装置９０３に記憶されている所定のプログラムをメモリ９０２にロードしてＣＰＵ９０１で実行することで実現可能であり、通信部１３８は、ＣＰＵ９０１が通信装置９０８を利用することで実現可能である。
【００７３】
この所定のプログラムは、読書装置９０５を介して記憶媒体９０４から、あるいは、通信装置９０８を介してネットワークから、外部記憶装置９０３にダウンロードされ、それから、メモリ９０２上にロードされてＣＰＵ９０１により実行されるようにしてもよい。また、読書装置９０５を介して記憶媒体９０４から、あるいは、通信装置９０８を介してネットワークから、メモリ９０２上に直接ロードされ、ＣＰＵ９０１により実行されるようにしてもよい。
【００７４】
図１０は、ＧＷ１４０の概略図である。図示するように、ＧＷ１４０は、記憶部１４１と、制御部１４３と、第一のＩＦ部１４８と、第二のＩＦ部１４９と、を備える。
【００７５】
記憶部１４１には、ＧＷ１４０で処理を行う際に必要とされる情報が記憶される。
【００７６】
制御部１４３は、全体制御部１４４と、プロトコル変換部１４５と、音声合成部１４６と、を備える。
【００７７】
全体制御部１４４は、ＧＷ１４０での処理の全体を制御する。
【００７８】
例えば、本実施形態においては、全体制御部１４４は、後述するプロトコル変換部１４５でプロトコル変換が行われたメッセージを第一のＩＦ部１４８又は第二のＩＦ部１４９を介して送信する処理を行う。また、全体制御部１４４は、音声合成部１４６で合成された音声データを、第二のＩＦ部１４９を介して送信する処理を行う。
【００７９】
プロトコル変換部１４５は、ＬＡＮ２００側のプロトコルと、ＷＡＮ２０１側のプロトコルと、の間の相互変換を行う。ここで、本実施形態においては、ＬＡＮ２００側においては、独自プロトコルに従った呼制御を行っており、ＷＡＮ側においては、ＳＩＰ（Session Initiation Protocol）に従った呼制御を行っているため、プロトコル変換部１４５は、呼制御で使用されるメッセージの変換を、例えば、記憶部１４１に記憶されている変換テーブル（図示せず）に従って行う。
【００８０】
なお、本実施形態においては、ＬＡＮ２００側において独自プロトコルに従った呼制御を行っているが、このような態様に限定されず、例えば、Ｈ．３２３等の既存のプロトコルを用いてもよく、このような場合でも、プロトコル変換部１４５でプロトコルの変換を行えばよい。
【００８１】
音声合成部１４６は、異なる送信元の通信アドレスから、同じ送信先の通信アドレスに送信する音声データを受信すると、これらの音声データの合成を行う。
【００８２】
例えば、音声合成部１４６は、第一のＩＦ部１４８で受信したＲＴＰパケットの送信元アドレス及び送信先アドレスを抽出し、異なる送信元アドレスから、同じ送信先アドレスに送信している音声データがある場合には、記憶部１４１にバッファを行い、ＲＴＰパケットから音声データを再生し、再生した音声データの合成を行う。ここで、音声データを合成する技術については、既存の技術を使用すればよいため、詳細な説明は省略する。
【００８３】
第一のＩＦ部１４８は、ＬＡＮ２００を介した情報の送受信を行う。
【００８４】
第二のＩＦ部１４９は、ＷＡＮ２０１を介した情報の送受信を行う。
【００８５】
以上に記載したＧＷ１４０は、例えば、図７に示すような一般的なコンピュータ９００で実現できる。
【００８６】
例えば、記憶部１４１は、ＣＰＵ９０１がメモリ９０２又は外部記憶装置９０３を利用することにより実現可能であり、制御部１４３は、外部記憶装置９０３に記憶されている所定のプログラムをメモリ９０２にロードしてＣＰＵ９０１で実行することで実現可能であり、第一のＩＦ部１４８及び第二のＩＦ部１４９は、ＣＰＵ９０１が複数の通信装置９０８を利用することで実現可能である。
【００８７】
この所定のプログラムは、読書装置９０５を介して記憶媒体９０４から、あるいは、通信装置９０８を介してネットワークから、外部記憶装置９０３にダウンロードされ、それから、メモリ９０２上にロードされてＣＰＵ９０１により実行されるようにしてもよい。また、読書装置９０５を介して記憶媒体９０４から、あるいは、通信装置９０８を介してネットワークから、メモリ９０２上に直接ロードされ、ＣＰＵ９０１により実行されるようにしてもよい。
【００８８】
図１１は、クライアント端末１５０の概略図である。図示するように、クライアント端末１５０は、記憶部１５１と、制御部１５３と、撮像部１５９と、集音部１６０と、入力部１６１と、映像出力部１６２と、音声出力部１６３と、通信部１６４と、を備える。
【００８９】
記憶部１５１には、クライアント端末１５０で処理を行うために必要な情報が格納される。例えば、本実施形態においては、ビデオルータ１３０との間で送受信する映像データ及び音声データの少なくとも何れか一方や、会議管理サーバ１１０の通信アドレス等が記憶される。
【００９０】
制御部１５３は、全体制御部１５４と、通信制御部１５５と、映像合成部１５６と、音声合成部１５７と、を備える。
【００９１】
全体制御部１５４は、クライアント端末１５０での処理の全体を制御する。
【００９２】
例えば、本実施形態においては、全体制御部１５４は、後述する入力部１６１を介して、クライアント端末１５０のオペレータより、会議を設定するクライアント端末１５０に割り振られているクライアントＩＤ、または、ＩＰ電話端末１８０若しくはアナログ電話端末１９０の電話番号、を特定した会議の設定指示の入力を受け付けると、入力されたクライアントＩＤ又は電話端末を含む発呼メッセージを生成して、通信制御部１５５及び通信部１６４を介して、生成した発呼メッセージを会議管理サーバ１１０に送信する処理を行う。
【００９３】
また、全体制御部１５４は、会議を設定するための発呼メッセージを受信すると、クライアント端末１５０のオペレータに会議を設定するための着呼があった旨の通知を行う。そして、全体制御部１５４は、入力部１６１を介して、会議を行う旨の意思表示の入力を受け付けると、通信制御部１５５及び通信部１６４を介して、会議管理サーバ１１０に応答メッセージを送信する処理を行う。
【００９４】
ここで、着呼があった旨の通知は、例えば、後述する映像出力部１６２に予め定められた着呼メッセージを表示する、後述する音声出力部１６３から着信音を出力する、等により行えばよい。
【００９５】
さらに、本実施形態においては、全体制御部１５４は、後述する撮像部１５９及び集音部１６０を介して得られた映像データ及び音声データを通信制御部１５５に出力する処理を行う。
【００９６】
また、全体制御部１５４は、映像合成部１５６又は音声合成１５７で合成された映像又は音声を、映像出力部１６２又は音声出力部１６３に出力する処理を行う。
【００９７】
通信制御部１５５は、通信部１６４を介した情報の送受信を行う。
【００９８】
また、通信制御部１５５は、異なる送信元から送信されてきた映像データを映像合成部１５６に出力し、異なる送信元から送信されてきた音声データを音声合成部１５７に出力する。
【００９９】
なお、本実施形態においては、通信制御部１５５は、全体制御部１５４より出力された映像データ及び音声データの各々のデータを各々別の送信データとしてビデオルータ１３０に送信する。
【０１００】
映像合成部１５６は、通信制御部１５５から得られた映像データを合成する。映像データの合成は、一つの画面を特定の領域に区分して、特定の送信元から送信されてきた映像データを予め定められた領域に嵌め込めばよいが、このような態様に限定されず、例えば、複数の映像データの一部又は全部を重ね合わせる等により行ってもよい。
【０１０１】
音声合成部１５７は、通信制御部１５５から得られた音声データを合成する。ここで、音声データを合成する技術については、既存の技術を使用すればよいため、詳細な説明は省略する。
【０１０２】
撮像部１５９は、映像を撮像する。なお、撮像された映像は、映像データとして、全体制御部１５４に出力する。
【０１０３】
集音部１６０は、音声を集音する。なお、集音された音声は、音声データとして、全体制御部１５４に出力する。
【０１０４】
入力部１６１は、情報の入力を受け付ける。
【０１０５】
映像出力部１６２は、映像データを出力する。
【０１０６】
音声出力部１６３は、音声データを出力する。
【０１０７】
通信部１６４は、ＬＡＮ２００を介した情報の送受信を行う。
【０１０８】
以上に記載したクライアント端末１５０は、例えば、図７に示すような一般的なコンピュータ９００に、ビデオカメラ装置等の撮像装置（図示せず）、マイク等の集音装置（図示せず）、スピーカ等の音声出力装置（図示せず）、を備えることで実現できる。
【０１０９】
例えば、記憶部１４１は、ＣＰＵ９０１がメモリ９０２又は外部記憶装置９０３を利用することにより実現可能であり、制御部１４３は、外部記憶装置９０３に記憶されている所定のプログラムをメモリ９０２にロードしてＣＰＵ９０１で実行することで実現可能であり、撮像部１５９は、ＣＰＵ９０１が撮像装置を利用することにより実現可能であり、集音部１６０は、ＣＰＵ９０１が集音装置を利用することにより実現可能であり、入力部１６１は、ＣＰＵ９０１が入力装置９０６を利用することにより実現可能であり、映像出力部１６２は、ＣＰＵ９０１が出力装置９０７を利用することにより実現可能であり、音声出力部１６３は、ＣＰＵ９０１が音声出力装置を利用することにより実現可能であり、通信部１６４は、ＣＰＵ９０１が通信装置９０８を利用することで実現可能である。
【０１１０】
この所定のプログラムは、読書装置９０５を介して記憶媒体９０４から、あるいは、通信装置９０８を介してネットワークから、外部記憶装置９０３にダウンロードされ、それから、メモリ９０２上にロードされてＣＰＵ９０１により実行されるようにしてもよい。また、読書装置９０５を介して記憶媒体９０４から、あるいは、通信装置９０８を介してネットワークから、メモリ９０２上に直接ロードされ、ＣＰＵ９０１により実行されるようにしてもよい。
【０１１１】
図１２は、ＰＢＸ１７０の概略図である。図示するように、ＰＢＸ１７０は、記憶部１７１と、制御部１７２と、ＷＡＮＩＦ部１７３と、ＬＡＮＩＦ部１７４と、アナログＩＦ部１７５と、を備える。
【０１１２】
記憶部１７１は、ＰＢＸ１７０で行う処理に必要な情報が記憶される。
【０１１３】
制御部１７２は、ＰＢＸ１７０での処理を制御する。例えば、本実施形態においては、ＷＡＮＩＦ部１７３と、ＬＡＮＩＦ部１７４と、アナログＩＦ部１７５と、の間のスイッチング制御を行う。
【０１１４】
また、制御部１７２は、アナログＩＦ部１７５からアナログ電話端末１９０からのアナログ信号をデジタル化し、ＷＡＮ２０１で使用するプロトコルに対応した通信データを生成してＷＡＮ２０１を介して通信する処理を行う。
【０１１５】
ＷＡＮＩＦ部１７３は、ＷＡＮ２０１を介した情報の送受信を行う。
【０１１６】
ＬＡＮＩＦ部１７４は、ＬＡＮ２０２を介した情報の送受信を行う。
【０１１７】
アナログＩＦ部１７５は、アナログ電話端末１９０との間で情報の送受信を行う。
【０１１８】
以上に記載したＰＢＸ１７０は、例えば、図７に示すような一般的なコンピュータ９００で実現できる。
【０１１９】
例えば、記憶部１７１は、ＣＰＵ９０１がメモリ９０２又は外部記憶装置９０３を利用することにより実現可能であり、制御部１７２は、外部記憶装置９０３に記憶されている所定のプログラムをメモリ９０２にロードしてＣＰＵ９０１で実行することで実現可能であり、ＷＡＮＩＦ部１７３、ＬＡＮＩＦ部１７４及びアナログＩＦ部１７５は、ＣＰＵ９０１がそれぞれの規格に対応した通信装置９０８を利用することで実現可能である。
【０１２０】
この所定のプログラムは、読書装置９０５を介して記憶媒体９０４から、あるいは、通信装置９０８を介してネットワークから、外部記憶装置９０３にダウンロードされ、それから、メモリ９０２上にロードされてＣＰＵ９０１により実行されるようにしてもよい。また、読書装置９０５を介して記憶媒体９０４から、あるいは、通信装置９０８を介してネットワークから、メモリ９０２上に直接ロードされ、ＣＰＵ９０１により実行されるようにしてもよい。
【０１２１】
ＩＰ電話端末１８０は、ＩＰ（Internet Protocol）を用いて音声通話を行う電話端末である。
【０１２２】
アナログ電話端末１９０は、アナログ回線を用いて音声通話を行う電話端末である。
【０１２３】
図１３は、会議システム１００において会議を行う際の処理を示すシーケンス図である。
【０１２４】
ここで、図１３では、クライアント端末１５０Ａから、クライアント端末１５０Ｂ、１５０Ｃに発呼を行い、会議を設定する際の処理を示すが、このような態様に限定されるわけではない。
【０１２５】
まず、クライアント端末１５０Ａの全体制御部１５４は、入力部１６１を介して、クライアント端末１５０Ａのオペレータより、会議を設定するクライアント端末１５０Ｂ、１５０Ｃに割り振られているクライアントＩＤを特定した会議の設定指示の入力を受け付けると、入力されたクライアントＩＤを含む発呼メッセージを生成して、通信制御部１５５に会議管理サーバ１１０への送信指示を行うことで、通信制御部１５５は、発呼メッセージを、通信部１６３を介して会議管理サーバ１１０に送信する（Ｓ１０）。
【０１２６】
このような発呼メッセージを受信した会議管理サーバ１１０では、呼制御部１１９が、発呼メッセージに含まれるクライアントＩＤに対応する通信アドレスをクライアント情報テーブル１１２ａのアドレス欄１１２ｃより抽出し、抽出した通信アドレスに、通信部１２４を介して発呼メッセージを転送する（Ｓ１１、Ｓ１２）。なお、呼制御部１１９は、クライアント端末１５０Ｂ、１５０Ｃに送信する発呼メッセージには、ビデオルータ１３０のアドレスを含める。
【０１２７】
このような発呼メッセージを受信したクライアント端末１５０Ｂでは、全体制御部１５４が、例えば、映像出力部１６２に予め定められた着呼メッセージを表示するか、音声出力部１６３から着信音を出力するか、等によりクライアント端末１５０Ｂのオペレータに会議を設定するための発呼があった旨の通知を行い、入力部１６１を介して、会議を行う旨の意思表示の入力を受け付けると、通信部１６４を介して、会議管理サーバ１１０に応答メッセージを送信する（Ｓ１３）。
【０１２８】
また、このような発呼メッセージを受信したクライアント端末１５０Ｃでも同様に、全体制御部１５４が、例えば、映像出力部１６２に予め定められた着呼メッセージを表示するか、音声出力部１６３から着信音を出力するか、等によりクライアント端末１５０Ｃのオペレータに会議を設定するための発呼があった旨の通知を行い、入力部１６１を介して、会議を行う旨の意思表示の入力を受け付けると、通信部１６４を介して、会議管理サーバ１１０に応答メッセージを送信する（Ｓ１４）。
【０１２９】
このような応答メッセージを受信した会議管理サーバ１１０では、会議管理部１２０が、予め設定されている電話番号の中から、今回のクライアント端末１５０Ａ、１５０Ｂ、１５０Ｃが開催する会議の電話番号を会議用電話番号として割り当て、会議開催情報テーブル１１４ａに新たなレコードを生成し、割り当てた会議用電話番号、クライアント端末１５０Ａ、１５０Ｂ、１５０ＣのクライアントＩＤ及び通信アドレス、クライアント端末１５０Ａ、１５０Ｂ、１５０Ｃが送受信するデータ種別（ここでは、「映像及び音声」）、を生成したレコードの対応する欄に格納するとともに、割り当てた会議用電話番号、クライアント端末１５０Ａ、１５０Ｂ、１５０Ｃの通信アドレス、クライアント端末１５０Ａ、１５０Ｂ、１５０Ｃが送受信するデータ種別（ここでは、「映像及び音声」）、を特定したルーティング指示を、通信部１２４を介してビデオルータ１３０に送信する（Ｓ１５）。
【０１３０】
また、このような応答メッセージを受信した会議管理サーバ１１０では、呼制御部１１９が、通信部１２４を介して、クライアント端末１５０Ａに応答メッセージを転送する（Ｓ１６）。なお、呼制御部１１９は、転送する応答メッセージに、ビデオルータ１３０の通信アドレスと、割り当てた会議用電話番号と、を含めておく。
【０１３１】
このようなルーティング指示を受信したビデオルータ１３０の会議情報管理部１３０は、ルーティング情報テーブル１３２ａに新たなレコードを追加して、ルーティング指示に含まれている会議用電話番号、通信アドレス、データ種別（ここでは、「映像及び音声」）、を対応する欄に格納し、全体制御部１３５がこのようなレコードに従って、ルーティング処理を行う。
【０１３２】
例えば、第一のクライアント端末１５０Ａから映像データ及び音声データを受信し（Ｓ１７）、クライアント端末１５０Ｂから映像データ及び音声データを受信し（Ｓ１８）、クライアント端末１５０Ｃから映像データ及び音声データを受信した（Ｓ１９）場合には、ビデオルータ１３０の全体制御部１３５は、クライアント端末１５０Ａに対して、クライアント端末１５０Ｂから送られてきた映像データ及び音声データの送信（Ｓ２０）と、クライアント端末１５０Ｃから送られてきた映像データ及び音声データの送信（Ｓ２１）と、を行う。
【０１３３】
そして、クライアント端末１５０Ｂからの映像データ及び音声データと、クライアント端末１５０Ｃからの映像データ及び音声データと、を受信したクライアント端末１５０Ａでは、映像合成部１５６が映像データの合成を行い、音声合成部１５７が音声データの合成を行い（Ｓ２３）、それぞれ映像出力部１６２及び音声出力部１６３に出力する。
【０１３４】
また、ビデオルータ１３０の全体制御部１３５は、クライアント端末１５０Ｂには、クライアント端末１５０Ａから送られてきた映像データ及び音声データの送信（Ｓ２３）と、クライアント端末１５０Ｃから送られてきた映像データ及び音声データの送信（Ｓ２４）と、を行う。
【０１３５】
そして、クライアント端末１５０Ａからの映像データ及び音声データと、クライアント端末１５０Ｃからの映像データ及び音声データと、を受信したクライアント端末１５０Ｂでは、映像合成部１５６が映像データの合成を行い、音声合成部１５７が音声データの合成を行い（Ｓ２５）、それぞれ映像出力部１６２及び音声出力部１６３に出力する。
【０１３６】
さらに、ビデオルータ１３０の全体制御部１３５は、クライアント端末１５０Ｃには、クライアント端末１５０Ａから送られてきた映像データ及び音声データの送信（Ｓ２６）と、クライアント端末１５０Ｂから送られてきた映像データ及び音声データの送信（Ｓ２７）と、を行う。
【０１３７】
そして、クライアント端末１５０Ａからの映像データ及び音声データと、クライアント端末１５０Ｂからの映像データ及び音声データと、を受信したクライアント端末１５０Ｃでは、映像合成部１５６が映像データの合成を行い、音声合成部１５７が音声データの合成を行い（Ｓ２８）、それぞれ映像出力部１６２及び音声出力部１６３に出力する。
【０１３８】
なお、図１３のシーケンスでは、ＬＡＮ２００に接続されているクライアント端末１５０間で会議を設定する際の処理を説明したが、例えば、ＷＡＮ２０１側のＩＰ電話端末１８０又はアナログ電話端末１９０も会議に加える場合には、ステップＳ１０において、会議に参加させるＩＰ電話端末１８０又はアナログ電話端末１９０の電話番号の入力を受け付けて、入力された電話番号を含む発呼メッセージを会議管理サーバ１１０に送信する。
【０１３９】
そして、会議管理サーバ１１０の呼制御部１１９は、電話番号情報テーブル１１３ａから、発呼メッセージに含まれる電話番号に対応する通信アドレスを抽出し、抽出したアドレスに発呼メッセージを転送すればよい。
【０１４０】
このような発呼メッセージはＧＷ１４０のプロトコル変換部１４５でＳＩＰのＩＮＶＩＴＥメッセージに変換されて、以降ＧＷ１４０の全体制御部１４４と、ＩＰ電話端末１８０又はアナログ電話端末１９０（ＰＢＸ１７０）でＳＩＰによる呼制御を行い、ＩＰ電話端末１８０又はアナログ電話端末１９０（ＰＢＸ１７０）より呼の接続が完了した際のＡＣＫメッセージをＧＷ１４０で受信することにより、ＧＷ１４０のプロトコル変換部１４５が、会議管理サーバ１１０にステップＳ１３又はＳ１４と同様な応答メッセージを送信し、ステップＳ１５以降の処理を行えばよい。
【０１４１】
図１４は、会議システム１００において既に開催されている会議に、ＷＡＮ２０１側の端末が参加する際の処理を示すシーケンス図である。
【０１４２】
なお、図１４においては、クライアント端末１５０Ａ及びクライアント端末１５０Ｂ間で開催されている会議に、ＷＡＮ２０１側のＩＰ電話端末１８０Ａから参加する際の処理を示すが、このような態様に限定されるわけではなく、ＰＢＸ１７０に収容されるアナログ電話端末１９０や他のクライアント端末１５０等からの追加参加も可能としている。
【０１４３】
また、クライアント端末１５０Ａ、１５０Ｂのオペレータは、例えば、図１３のステップＳ１６で転送されてきた応答メッセージに含まれている会議用電話番号を、参加を許可するＩＰ電話端末１８０Ａのオペレータに、通信等の手段で通知しておくことで、当該ＩＰ電話端末１８０Ａが入手した会議用電話番号にて会議への参加動作が可能となる。
【０１４４】
まず、ＩＰ電話端末１８０Ａのオペレータは、会議を設定したクライアント端末１５０Ａのオペレータより、会議毎に割り振られている会議用電話番号を通信等により取得し、取得した会議用電話番号に電話をかけることにより、ＩＰ電話端末１８０Ａは、ＳＩＰのＩＮＶＩＴＥメッセージをＰＢＸ１７０に送信する（Ｓ３０）。なお、このＩＮＶＩＴＥメッセージには、ＩＰ電話端末１８０Ａが送受信するデータ種別（ここでは、「音声」）を特定する情報が含まれるものとする。
【０１４５】
このようなＩＮＶＩＴＥメッセージを受信したＰＢＸ１７０では、制御部１７２が、ＷＡＮＩＦ部１７３を介して、ＩＮＶＩＴＥメッセージをＷＡＮ２０１に転送する。なお、ＷＡＮ２０１には、ＳＩＰサーバ（図示せず）が設けられているものとし、当該ＳＩＰサーバを介して、ＩＮＶＩＴＥメッセージは会議管理サーバ１１０に転送される（Ｓ３１）。
【０１４６】
会議管理サーバ１１０に転送されたＩＮＶＩＴＥメッセージは、ＧＷ１４０のプロトコル変換部１４５で、ＳＩＰから会議管理サーバ１１０が対応しているプロトコルの発呼メッセージに変換されて、第一のＩＦ部１４８を介して会議管理サーバ１１０に転送される（Ｓ３２）。
【０１４７】
また、ＧＷ１４０の全体制御部１４４は、ＩＮＶＩＴＥメッセージに対する応答メッセージである１８０ＲＩＮＧＩＮＧメッセージを返信し（Ｓ３３）、ＰＢＸ１７０の制御部１７２は、受信した１８０ＲＩＮＧＩＮＧメッセージをＩＰ電話端末１８０Ａに転送する（Ｓ３４）。
【０１４８】
また、ステップＳ３２で転送された発呼メッセージを受信した会議管理サーバ１１０では、呼制御部１１９が、応答メッセージを返信する（Ｓ３５）。なお、この応答メッセージには、ビデオルータ１３０の通信アドレスを特定する情報が含まれるものとする。
【０１４９】
このような応答メッセージを受信したＧＷ１４０では、プロトコル変換部１４５が、応答メッセージを、ＳＩＰの２００ＯＫメッセージに変換して、ＷＡＮ２０１に送信し（Ｓ３６）、ＰＢＸ１７０は、ＩＰ電話端末１８０Ａに転送する（Ｓ３７）。
【０１５０】
２００ＯＫメッセージを受信したＩＰ電話端末１８０Ａは、ＡＣＫメッセージをＰＢＸ１７０に送信し（Ｓ３８）、ＰＢＸ１７０の制御部１７２は、ＷＡＮＩＦ部１７３を介して、会議管理サーバ１１０に転送する（Ｓ３９）。
【０１５１】
このようなＡＣＫメッセージを受信したＧＷ１４０では、プロトコル変換部１４５が、ＡＣＫメッセージを、ＳＩＰから会議管理サーバ１１０が対応しているプロトコルの応答メッセージに変換して、第一のＩＦ部１４８を介して会議管理サーバ１１０に転送する（Ｓ４０）。
【０１５２】
このような応答メッセージを受信した会議管理サーバ１１０では、会議管理部１２０が、ステップＳ３２で発呼されてきた会議用電話番号が会議開催情報テーブル１１４ａの会議用番号欄１１４ｂに格納されているレコードを特定し、特定したレコードに新たな行を追加して、ＩＰ電話端末１８０Ａの電話番号、ＩＰ電話端末１８０Ａに割り当てられている通信アドレス、ＩＰ電話端末１８０Ａが送受信するデータ種別（ここでは、「音声」）、を生成したレコードの対応する欄に格納するとともに、会議用電話番号、ＩＰ電話端末１８０Ａに割り当てられた通信アドレス、ＩＰ電話端末１８０Ａが送受信するデータ種別（ここでは、「音声」）、を特定したルーティング指示をビデオルータ１３０に送信する（Ｓ４１）。
【０１５３】
このようなルーティング指示を受信したビデオルータ１３０の会議情報管理部１３０は、受信したルーティング指示に含まれている会議用電話番号が会議用番号欄１３２ｂに格納されているルーティング情報テーブル１３２のレコードを特定し、特定したレコードに新たな行を追加して、ルーティング指示に含まれているアドレス及びデータ種別（ここでは、「音声」）を対応する欄に格納し、全体制御部１３５がこのようなレコードに従って、ルーティング処理を行う。
【０１５４】
例えば、ビデオルータ１３０の全体制御部１３５は、図１３のステップＳ１７〜２８に示されている処理と同様に、クライアント端末１５０Ａ及びクライアント端末１５０Ｂ間で、映像データ及び音声データの送受信を行うとともに、ＩＰ電話端末１８０Ａから音声データを受信すると（Ｓ４２）、ルーティング情報テーブル１３２に従って、送信元のアドレスと同じ会議用電話番号のレコードに含まれているクライアント端末１５０Ａ、１５０Ｂに当該音声データを転送する（Ｓ４３、Ｓ４４）。
【０１５５】
また、ビデオルータ１３０の全体制御部１３５は、クライアント端末１５０Ａより、映像データ及び音声データを受信すると（Ｓ４５）、ルーティング情報テーブル１３２のデータ種別欄１３２ｄに従って、音声データをＩＰ電話端末１８０Ａに転送する（Ｓ４６）。
【０１５６】
さらに、ビデオルータ１３０の全体制御部１３５は、クライアント端末１５０Ｂより、映像データ及び音声データを受信すると（Ｓ４７）、ルーティング情報テーブル１３２のデータ種別欄１３２ｄに従って、音声データをＩＰ電話端末１８０Ａに転送する（Ｓ４８）。
【０１５７】
クライアント端末１５０Ａ及びクライアント端末１５０Ｂより音声データを受信したＧＷ１４０では、音声合成部１４６がそれぞれ受信した音声データを合成して一つの音声データにして（Ｓ４９）、ＩＰ電話端末１８０Ａに転送する（Ｓ５０）。
【０１５８】
図１５は、会議システム１００において、ＷＡＮ２０１側の端末から会議を設定する際の処理を示すシーケンス図である。
【０１５９】
なお、図１５においては、アナログ電話端末１９０Ａから、クライアント端末１５０Ａ及びクライアント端末１５０Ｂに対して会議を設定する際の処理を示すが、このような態様に限定されるわけではなく、ＩＰ電話端末１８０からの会議設定も可能としている。
【０１６０】
また、アナログ電話端末１９０Ａは、会議管理サーバ１１０より、会議設定情報テーブル１１５に格納されているクライアント端末１５０Ａ、１５０Ｂに対して会議を設定するための設定用電話番号を、通信等の手段で既に取得しているものとする。
【０１６１】
まず、アナログ電話端末１９０Ａのオペレータは、会議を設定したいクライアント端末１５０Ａ、１５０Ｂと会議を設定するための設定用電話番号に電話をかけることにより、アナログ電話番号は、設定用電話番号を識別することのできる発呼信号（選択信号）をＰＢＸ１７０に送信する（Ｓ６０）。
【０１６２】
このような発呼信号を受信したＰＢＸ１７０では、制御部１７２が、ＳＩＰのＩＮＶＩＴＥメッセージを生成して、ＷＡＮＩＦ部１７３を介して、ＩＮＶＩＴＥメッセージをＷＡＮ２０１に転送する。なお、ＷＡＮ２０１には、ＳＩＰサーバ（図示せず）が設けられているものとし、当該ＳＩＰサーバを介して、ＩＮＶＩＴＥメッセージは会議管理サーバ１１０に転送される（Ｓ６１）。なお、このＩＮＶＩＴＥメッセージには、アナログ電話端末１９０Ａが送受信するデータ種別（ここでは、「音声」）を特定する情報を含めておく。
【０１６３】
会議管理サーバ１１０に転送されたＩＮＶＩＴＥメッセージは、ＧＷ１４０のプロトコル変換部１４５で、ＳＩＰから会議管理サーバ１１０が対応しているプロトコルの発呼メッセージに変換されて、第一のＩＦ部１４８を介して会議管理サーバ１１０に転送される（Ｓ６２）。
【０１６４】
また、ＧＷ１４０の全体制御部１４４は、ＩＮＶＩＴＥメッセージに対する応答メッセージである１８０ＲＩＮＧＩＮＧメッセージを返信し（Ｓ６３）、ＰＢＸ１７０の制御部１７２は、１８０ＲＩＮＧＩＮＧメッセージを受信すると、鳴動信号（ＲＢＴ：Ring Back Tone）をアナログ電話端末１９０Ａに転送する（Ｓ６４）。
【０１６５】
そして、発呼メッセージを受信した会議管理サーバ１１０は、呼制御部１１９が、発呼メッセージで特定される設定用電話番号が電話番号欄１１５ｂに格納されている会議設定情報テーブル１１５ａのレコードを特定して、特定したレコードの会議相手欄１１５ｃより、会議相手となるクライアント端末１５０Ａ、１５０ＢのクライアントＩＤを取得する。
【０１６６】
次に、呼制御部１１９は、取得したクライアントＩＤがクライアントＩＤ欄１１２ｂに格納されているクライアント情報テーブル１１２ａのレコードを特定し、特定したレコードのアドレス欄１１２ｃより、クライアント端末１５０Ａ、１５０Ｂの通信アドレスを取得する。
【０１６７】
そして、会議管理サーバ１１０の呼制御部１１９は、取得した通信アドレスに、通信部１２４を介して発呼メッセージを送信する（Ｓ６５、Ｓ６６）。なお、呼制御部１１９は、クライアント端末１５０Ｂ、１５０Ｃに送信する発呼メッセージには、ビデオルータ１３０の通信アドレスを含める。
【０１６８】
このような発呼メッセージを受信したクライアント端末１５０Ａでは、全体制御部１５４が、例えば、映像出力部１６２に予め定められた着呼メッセージを表示するか、音声出力部１６３から着信音を出力するか、等によりクライアント端末１５０Ａのオペレータに会議を設定するための着呼があった旨の通知を行い、入力部１６１を介して、会議を行う旨の意思表示の入力を受け付けると、通信部１６３を介して、会議管理サーバ１１０に応答メッセージを送信する（Ｓ６７）。
【０１６９】
また、このような発呼メッセージを受信したクライアント端末１５０Ｂでも同様に、全体制御部１５４が、例えば、映像出力部１６２に予め定められた着呼メッセージを表示するか、音声出力部１６３から着信音を出力するか、等によりクライアント端末１５０Ｂのオペレータに会議を設定するための着呼があった旨の通知を行い、入力部１６１を介して、会議を行う旨の意思表示の入力を受け付けると、通信部１６３を介して、会議管理サーバ１１０に応答メッセージを送信する（Ｓ６８）。
【０１７０】
クライアント端末１５０Ａ、１５０Ｂより応答メッセージを受信した会議管理サーバ１１０では、会議の設定要求に対する応答メッセージをアナログ電話端末１９０Ａに送信する（Ｓ６９）。なお、この応答メッセージには、ビデオルータ１３０の通信アドレスを特定する情報が含まれるものとする。
【０１７１】
このような応答メッセージを受信したＧＷ１４０では、プロトコル変換部１４５が、応答メッセージをＳＩＰの２００ＯＫメッセージに変換して、ＰＢＸ１７０に送信する（Ｓ７０）。
【０１７２】
そして、このような２００ＯＫメッセージを受信したＰＢＸ１７０では、制御部１７２が、アナログ電話端末１９０Ａの回線を切り替えて、アナログ電話端末１９０Ａの回線を接続する（Ｓ７１）とともに、会議管理サーバ１１０にＡＣＫメッセージを返信する（Ｓ７２）。なお、ＰＢＸ１７０の制御部１７２は、２００ＯＫメッセージに含まれているビデオルータ１３０の通信アドレスを特定する情報を抽出し、当該通信アドレスを記憶部１７１に記憶するとともに、アナログ電話端末１９０Ａから送信されてくる音声データを記憶した通信アドレスに送信するように設定する。
【０１７３】
ＡＣＫメッセージを受信したＧＷ１４０では、プロトコル変換部１４５が、ＳＩＰのＡＣＫメッセージを、会議管理サーバ１１０が対応している応答メッセージに変換して、会議管理サーバ１１０に転送する（Ｓ７３）。
【０１７４】
そして、このような応答メッセージを受信した会議管理サーバ１１０では、会議管理部１２０が、予め設定されている電話番号の中から、今回の会議の電話番号を会議用電話番号として割り当て、会議開催情報テーブル１１４ａに新たなレコードを生成し、割り当てた会議用電話番号、アナログ電話端末１９０Ａの電話番号及びクライアント端末１５０Ａ、１５０ＢのクライアントＩＤ、アナログ電話端末１９０Ａに割り振られている通信アドレス及びクライアント端末１５０Ａ、１５０Ｂの通信アドレス、アナログ電話端末１９０Ａが送受信するデータ種別（ここでは、「音声」）及びクライアント端末１５０Ａ、１５０Ｂが送受信するデータ種別（ここでは、「映像及び音声」）、を生成したレコードの対応する欄に格納するとともに、割り当てた会議用電話番号、アナログ電話端末１９０Ａ及びクライアント端末１５０Ａ、１５０Ｂのアドレス、アナログ電話端末及びクライアント端末１５０Ａ、１５０Ｂが送受信するデータ種別、を特定したルーティング指示をビデオルータ１３０に送信する（Ｓ７４）。
【０１７５】
このようなルーティング指示を受信したビデオルータ１３０の会議情報管理部１３０は、ルーティング情報テーブル１３２ａに新たなレコードを追加して、ルーティング指示に含まれている会議用電話番号、アドレス、データ種別（ここでは、「映像及び音声」）、を対応する欄に格納し、全体制御部１３５がこのようなレコードに従って、ルーティング処理を行うことで、会議が設定される（Ｓ７５）。
【０１７６】
以上のように、本実施形態においては、ビデオルータ１３０は、映像データ、音声データを、ルーティング情報テーブル１３２ａに従って転送し、映像や音声を合成するといった負荷の重い処理を行わなくてもよいため、データをより高速かつ安定的に転送することができる。
【０１７７】
また、例えば、図１６（クライアント端末２５０の概略図）に示すクライアント端末２５０のように、制御部２５３に映像データ及び音声データの出力形態を設定する出力設定部２５８を設けておくことで、出力設定部２５８で設定された出力形態となるように映像合成部２５６及び音声合成部２５７で映像データ及び音声データを合成することができるようになる。
【０１７８】
例えば、出力設定部２５８は、入力部１６１及び映像出力部１６２を介して、各々の宛先から送られてくる映像データを映像出力部１６２に表示する位置（画面における水平方向の位置）の選択を受け付け、選択された位置に映像が表示されるように映像合成部２５６に設定を行うとともに、選択された位置に音像が定位するように、各宛先から送られてくる音声データからステレオ音声データを合成するように音声合成部２５７に設定を行うことができる。
【０１７９】
そして、映像合成部２５６及び音声合成部２５７で設定されたところに従って、映像データ及び音声データを合成して、全体制御部１５４を介して映像出力部１６２及び音声出力部１６３に出力することで、臨場感のある映像及び音声による会議を行うことができるようになる。
【０１８０】
また、図１７（会議管理サーバ２１０の概略図）に示す会議管理サーバ２１０のように、制御部２１７に、開催されている会議に参加するための会議用電話番号、または、会議を設定するための設定用電話番号、を特定する通知用の情報を生成する通知処理部２２１を設けることにより、円滑に会議に参加し、または、会議を設定することができる。
【０１８１】
例えば、通知処理部２２１は、会議開催情報テーブル１１４ａの会議用番号欄１１４ｂと、端末ＩＤ欄１１４ｃと、アドレス欄１１４ｄと、に格納されている情報を、予め定められた表示形式に加工して、ＷＷＷ（World Wide Web）におけるドキュメントとして公開したり、ＷＡＮ２０１に接続されているコンピュータからの開示要求に対してメールで転送したり、といった方法で開示する。
【０１８２】
また、通知処理部２２１は、会議を設定した端末から会議用電話番号の公開を了承されたものだけを公開することも可能である。例えば、図１３のステップＳ１６の応答メッセージを受信したクライアント端末１５０Ａのオペレータより、会議用電話番号の開示を行うか否かの返信メッセージを受信し、会議用電話番号の開示を行うと返信があったクライアント端末１５０Ａを介して設定された会議の会議用電話番号を公開する。
【０１８３】
なお、通知処理部２２１は、会議開催情報テーブル１１４ａの会議用番号欄１１４ｂと、端末ＩＤ欄１１４ｃと、アドレス欄１１４ｄと、に格納されている情報を、予め用意されたデータを組み合わせることで音声データとして、特定の電話番号（開示用電話番号）で接続してきた端末に送信するようにしてもよい。
【０１８４】
また、通知処理部２２１は、会議設定情報テーブル１１５ａの電話番号欄１１５ｂと、会議相手欄１１５ｃと、に格納されている情報を、予め定められた表示形式に加工して、ＷＷＷ（World Wide Web）におけるドキュメントとして公開したり、ＷＡＮ２０１に接続されているコンピュータからの開示要求に対してメールで転送したり、といった方法で開示する。
【０１８５】
なお、通知処理部２２１は、会議設定情報テーブル１１５ａの電話番号欄１１５ｂと、会議相手欄１１５ｃと、に格納されている情報を、予め用意されたデータを組み合わせることで音声データとして、特定の電話番号（開示用電話番号）で接続してきた端末に送信するようにしてもよい。
【０１８６】
さらに、以上に記載した実施形態においては、図１３のステップＳ１０で、会議の相手方のクライアント端末１５０のクライアントＩＤを特定した発呼メッセージを送信するようにしているが、このような態様に限定されず、例えば、会議設定情報テーブル１１５ａの設定用電話番号を特定した発呼メッセージを送信するようにしてもよい。
【０１８７】
また、以上に記載した実施形態においては、ビデオルータ１３０を一つ設けているが、このような態様に限定されず、複数のビデオルータ１３０を設けて負荷分散を行うことも可能である。このような場合でも、本実施形態においては、端末からの発呼が有ってから使用するビデオルータ１３０の通信アドレスを会議に参加する端末に通知するようにしているため、各々のビデオルータ１３０に割り当てた会議の数、各々のビデオルータ１３０で通信を行っている端末の数、等に応じて、効率的に負荷分散を行うことができる。
【０１８８】
例えば、会議を設定する新たな発呼があった場合に、既に割り当てられている会議の数が少ないビデオルータ１３０から順に、または、既に割り当てられている会議に参加している端末の数が少ないビデオルータ１３０から順に、選択して会議を行うことで、効率的に負荷分散を行うことができる。
【０１８９】
以上に記載した実施形態においては、会議管理サーバ１１０で設定された各々の会議を識別する識別子として、会議用電話番号を用いて、ビデオルータ１３０に対してルーティング指示を行うようにしているが、このような態様に限定されず、会議用電話番号とは別に、各々の会議毎に一意となるように割り振られた識別ＩＤを用いて各々の会議を識別してもよい。
【図面の簡単な説明】
【０１９０】
【図１】会議システムの概略図。
【図２】会議管理サーバの概略図。
【図３】クライアント情報テーブルの概略図。
【図４】電話番号情報テーブルの概略図。
【図５】会議開催情報テーブルの概略図。
【図６】会議設定情報テーブルの概略図。
【図７】コンピュータの概略図。
【図８】ビデオルータの概略図。
【図９】ルーティング情報テーブルの概略図。
【図１０】ＧＷの概略図。
【図１１】クライアント端末の概略図。
【図１２】ＰＢＸの概略図。
【図１３】会議システムにおいて会議を行う際の処理を示すシーケンス図。
【図１４】会議システムにおいて既に開催されている会議に、ＷＡＮ側の端末が参加する際の処理を示すシーケンス図。
【図１５】会議システムにおいて、ＷＡＮ側の端末から会議を設定する際の処理を示すシーケンス図。
【図１６】クライアント端末の概略図。
【図１７】会議管理サーバの概略図。
【符号の説明】
【０１９１】
１００  会議システム
１１０  会議管理サーバ
１１１  記憶部
１１２  クライアント情報記憶領域
１１３  電話番号情報記憶領域
１１４  会議開催情報記憶領域
１１５  会議設定情報記憶領域
１１７  制御部
１１８  全体制御部
１１９  呼制御部
１２０  会議管理部
１３０  ビデオルータ
１３１  記憶部
１３２  ルーティング情報記憶領域
１３４  制御部
１３５  全体制御部
１３６  会議情報管理部
１４０  ＧＷ
１４１  記憶部
１４３  制御部
１４４  全体制御部
１４５  プロトコル変換部
１４６  音声合成部
１５０  クライアント端末
１５１  記憶部
１５３  制御部
１５４  全体制御部
１５５  通信制御部
１５６  映像合成部
１５７  音声合成部
１５９  撮像部
１６０  集音部
１６２  映像出力部
１６３  音声出力部
１７０  ＰＢＸ
１７１  記憶部
１７２  制御部
１８０  ＩＰ電話端末
１９０  アナログ電話端末
【図１】
2010118715.tif 000003
【図２】
2010118715.tif 000004
【図３】
2010118715.tif 000005
【図４】
2010118715.tif 000006
【図５】
2010118715.tif 000007
【図６】
2010118715.tif 000008
【図７】
2010118715.tif 000009
【図８】
2010118715.tif 000010
【図９】
2010118715.tif 000011
【図１０】
2010118715.tif 000012
【図１１】
2010118715.tif 000013
【図１２】
2010118715.tif 000014
【図１３】
2010118715.tif 000015
【図１４】
2010118715.tif 000016
【図１５】
2010118715.tif 000017
【図１６】
2010118715.tif 000018
【図１７】
2010118715.tif 000019